(57)【特許請求の範囲】
【請求項１】
刃体（２８）には、幅広の挿入孔（３０）と、この挿入孔（３０）の先端側に連続する幅狭の係止孔（３１）とからなる嵌着孔（２９）を形成し、この刃体（２８）が重合される刃体取付部（３３）には、刃体（２８）の嵌着孔（２９）が嵌め込まれる嵌着突部（３４）を設け、この嵌着突部（３４）の先端側には、刃体（２８）の係止孔（３１）の縁部（３１ａ）が係入される係止溝（３５）を形成した替刃式メス（２７）にあって、
その刃体（２８）を捨てるための収納室（５）と、刃体挿入口（４）と、この刃体挿入口（４）を刃体収納室（５）に連通する刃体挿入路（８）とを有する把持体（１）を備え、この刃体挿入路（８）には、刃体（２８）の嵌着孔（２９）の挿入孔（３０）を刃体取付部（３３）の嵌着突部（３４）から外すための押圧部（６，１１）を設けた捨刃ケースにおいて、
前記把持体（１）には、把持壁（２）と、この把持壁（２）の一端側で刃体挿入口（４）を形成した口壁（３）とを設け、
この口壁（３）には、その刃体挿入口（４）を開閉し得る開閉蓋体（１７）を取り付けるとともに、
この把持壁（２）の外側には、この開閉蓋体（１７）を開閉動させる操作体（１８）を取り付け、
前記開閉蓋体（１７）により刃体挿入口（４）を閉じるように、操作体（１８）または開閉蓋体（１７）を付勢する弾性体（２６）を把持体（１）に設けた
ことを特徴とする替刃式メス用捨刃ケースにおける刃体挿入口部の開閉構造。
【発明の詳細な説明】
【０００１】
【発明の属する技術分野】
この発明は、手術や解剖等に利用される替刃式メスの刃体をその使用後に取り外して捨てるための捨刃ケースに係り、特に、その刃体を挿入する口部の開閉構造に関するものである。
【０００２】
【従来の技術】
実開平６ー２３５０９号公報に示す従来の替刃式メス用捨刃ケースにおいては、同公報の第１，９図に示すように、使用時や不使用時にかかわらず、保護壁３の刃体挿入口部６（刃体挿入口）が常に開放されている。
【０００３】
【発明が解決しようとする課題】
捨刃ケースの不使用時、使用者は、保護壁３を下向きにして載置面に接触させた状態で把持体２を立てて載せることが多い。このように把持体２を載置したり、この載置状態から把持体２を持ち上げたりする場合、把持体２の収納空間７にある使い捨て刃体（図示せず）は、刃体挿入口部６から不用意に落下するおそれがある。
【０００４】
本発明は、不使用時に刃体挿入口を強制的に閉じて、使い捨て刃体を把持体内に確実に収納することを目的にしている。
【０００５】
【課題を解決するための手段】
後記実施形態の図面（図１〜８）の符号を援用して本発明を説明する。
本発明にかかる捨刃ケースは、替刃式メス（２７）の刃体（２８）を捨てるためのものであって、下記のように構成されている。
【０００６】
替刃式メス（２７）において、刃体（２８）には、幅広の挿入孔（３０）と、この挿入孔（３０）の先端側に連続する幅狭の係止孔（３１）とからなる嵌着孔（２９）を形成している。この刃体（２８）が重合される刃体取付部（３３）には、刃体（２８）の嵌着孔（２９）が嵌め込まれる嵌着突部（３４）を設け、この嵌着突部（３４）の先端側には、刃体（２８）の係止孔（３１）の縁部（３１ａ）が係入される係止溝（３５）を形成している。
【０００７】
捨刃ケースにおいて、把持体（１）は、替刃式メス（２７）の刃体（２８）を捨てるための収納室（５）と、刃体挿入口（４）と、この刃体挿入口（４）を刃体収納室（５）に連通する刃体挿入路（８）とを有する。この刃体挿入路（８）には、刃体（２８）の嵌着孔（２９）の挿入孔（３０）を刃体取付部（３３）の嵌着突部（３４）から外すための押圧部（６，１１）を設けている。
【０００８】
このような従来の捨刃ケースに下記の刃体挿入口部開閉構造を付加した。
前記把持体（１）には、把持壁（２）と、この把持壁（２）の一端側で刃体挿入口（４）を形成した口壁（３）とを設けた。この口壁（３）には、その刃体挿入口（４）を開閉し得る開閉蓋体（１７）を取り付けるとともに、この把持壁（２）の外側には、この開閉蓋体（１７）を開閉動させる操作体（１８）を取り付けた。前記開閉蓋体（１７）により刃体挿入口（４）を閉じるように、操作体（１８）または開閉蓋体（１７）を付勢する弾性体（２６）を把持体（１）に設けた。
【０００９】
捨刃ケースの不使用時、使用者は、図２，３に示すように、口壁（３）を下向きにして載置面（Ｐ）に接触させた状態で把持体（１）を載せたり、この載置状態から把持体（１）を持ち上げたりする場合、操作体（１８）を離すので、図１に示すように刃体挿入口（４）が開閉蓋体（１７）で弾性体（２６）の弾性力により強制的に閉じられる。そのため、把持体（１）の収納室（５）にある使い捨て刃体（図示せず）は、この開閉蓋体（１７）に当接して刃体挿入口（４）から不用意に落下しない。一方、捨刃ケースの使用時、使用者が操作体（１８）を操作するだけで、図７，８に示すように、刃体挿入口（４）が開放される。従って、使用者が操作体（１８）を意識的に操作して刃体挿入口（４）を開放しない限り、刃体挿入口（４）は閉じられている。
【００１０】
【発明の実施形態】
以下、本発明の一実施形態にかかる替刃式メス用捨刃ケースを図面を参照して説明する。
【００１１】
〔図１〜３に示す捨刃ケースの把持体１について〕
把持体１は、筒状の把持壁２と、この筒状把持壁２の前端側（一端側）に取着された口壁３とを有している。この筒状把持壁２は、上壁部２ａと、下壁部２ｂと、左壁部２ｃと、右壁部２ｄと、後壁部２ｅとからなる。この口壁３には刃体挿入口４が形成されている。この筒状把持壁２内には刃体収納室５が形成されている。図３，４に示すように、この刃体挿入口４よりも若干内側において筒状把持壁２内には、口壁３と下壁部２ｂとの間の隅部で左右一対の押圧部６が突設され、この両押圧部６間の案内溝７が刃体挿入口４に連続している。この両押圧部６及び案内溝７と上壁部２ａとの間には、刃体挿入路８が上壁部２ａの内面に沿って延設されている。
【００１２】
図３，４に示すように、前記筒状把持壁２の上壁部２ａにコ字形状の切欠き９が形成され、この切欠き９によりできる弾性板部１０が前記刃体挿入路８側へ撓み得るようになっている。この弾性板部１０の内側には前記左右両押圧部６付近で押圧部１１が下方へ突設されている。
【００１３】
前記筒状把持壁２の上壁部２ａに操作つまみ１２が載せられている。この上壁部２ａには前記弾性板部１０よりも後方で案内孔１３が前後方向へ延びるように形成されている。前記操作つまみ１２の内側に形成された突起１４がこの案内孔１３に挿入され、筒状把持壁２内でこの突起１４と上壁部２ａの後端部との間に引張コイルばね１５が連結されている。従って、操作つまみ１２はこの引張コイルばね１５の弾性力により案内孔１３に沿うように後方へ移動して停止するようになっている。また、図８に示すように、操作つまみ１２を引張コイルばね１５の弾性力に抗して前方へ移動させると、操作つまみ１２の内側にある押圧面１２ａが弾性板部１０の受圧面１０ａに当接するため、弾性板部１０がその弾性力に抗して刃体挿入路８側へ撓む。操作つまみ１２は、どの移動位置にあっても、上壁部２ａの切欠き９や案内孔１３を閉塞し、それらが上壁部２ａの外側に露出しない。
【００１４】
〔図１〜３に示す口部開閉部材１６について〕
口部開閉部材１６は、前記口壁３の外側に取り付けた開閉蓋体１７と、前記把持壁２の外側に取り付けた操作体１８とからなる。
【００１５】
この開閉蓋体１７は、四角板状をなし、口壁３の前面に当てがわれて上下動可能に支持されている。この開閉蓋体１７においては、そのほぼ中央部付近に開孔１９が形成されているとともに、この開孔１９に隣接してこれと上端縁との間で閉塞部２０が形成されている。
【００１６】
前記操作体１８は、下壁部２１と左右両壁部２２とから断面コ字形状なし、この下壁部２１が前記把持壁２の下壁部２ｂに面しているとともに、この左右両壁部２２が図４に示すように前記把持壁２の左右両壁部２ｃ，２ｄに当てがわれている。この操作体１８は左右両壁部２２で左右両壁部２ｃ，２ｄに対し支軸２３により回動可能に支持され、その回動に伴い下壁部２１が下壁部２ｂに対し上下動して互いに接近離間する。
【００１７】
前記口壁３の下端部には図６に示すように連動孔２４が形成されている。前記開閉蓋体１７の下端部には二股状の連動部２５が突設され、口壁３の連動孔２４を通って操作体１８側へ突出している。前記操作体１８の下壁部２１の前端には連動部２１ａが突設され、二股状連動部２５内に係入されている。従って、操作体１８を回動させると、連動部２１ａが二股状連動部２５内を相対移動しながらそれらが連動孔２４内を移動して、開閉蓋体１７が上下方向へ開閉動する。
【００１８】
前記操作体１８の下壁部２１と把持壁２の下壁部２ｂとの間でこの下壁部２ｂに板ばね２６（弾性体）が取着されている。その弾性力により操作体１８が付勢され、前記開閉蓋体１７の閉塞部２０が刃体挿入口４を閉じる。
【００１９】
〔図５に示す替刃式メス２７について〕
替刃式メス２７の刃体２８にはその基端部２８ａ寄りにおいて細長い嵌着孔２９が形成されている。この嵌着孔２９は、幅広の挿入孔３０と、その先端側に連続する幅狭の係止孔３１とからなる。替刃式メス２７の柄３２の先端部にはこの刃体２８が重合される刃体取付部３３が形成され、この刃体取付部３３の表側には刃体２８の嵌着孔２９が嵌め込まれる嵌着突部３４が形成されている。この嵌着突部３４の外周のうち先端側寄り両側面には係止溝３５が形成されている。
【００２０】
そして、刃体２８を柄３２に取り付ける際に、刃体２８を刃体取付部３３に重合して刃体２８の嵌着孔２９を刃体取付部３３の嵌着突部３４に当てがい、この状態から刃体２８を滑らせると、嵌着孔２９の係止孔３１の両縁部３１ａが嵌着突部３４の両係止溝３５に係入され、嵌着孔２９が嵌着突部３４に嵌め込まれる。
【００２１】
〔上記替刃式メス２７の刃体２８をその使用後に捨てる場合について〕
図６，７に示すように、使用者が把持壁２を持ち、板ばね２６の弾性力に抗して操作体１８をＦ矢印方向へ回動させると、開閉蓋体１７が移動し、刃体挿入口４が閉塞部２０から離れて開孔１９に対向する。
【００２２】
替刃式メス２７の表側を上向きにしてその刃体取付部３３を図７（ａ）に示すように刃体挿入口４に挿入する。刃体２８及び刃体取付部３３の嵌着突部３４が刃体挿入口４から刃体挿入路８に挿入されると、図７（ｂ）に示すように、刃体２８の基端部２８ａの左右両側が両押圧部６上に載せられる。そして、図８に示すように、操作つまみ１２を前方へ押すと、弾性板部１０が刃体挿入路８側に撓んで弾性板部１０の押圧部１１により嵌着突部３４が下方へ押される。そのため、両押圧部６上に支えられた刃体２８の基端部２８ａが上方へ撓んで刃体取付部３３から浮き上がり、刃体２８の嵌着孔２９の挿入孔３０が嵌着突部３４から外れる。その後、柄３２を把持体１から引き抜くと、嵌着孔２９の係止孔３１の両縁部３１ａが嵌着突部３４の係止溝３５から外れ、嵌着突部３４が嵌着孔２９から抜けて刃体２８が刃体取付部３３から分離し、刃体２８のみが刃体挿入路８から落ちて収納室５内に残る。なお、操作つまみ１２を離すと、図７（ａ）の状態に戻る。
【００２３】
本実施形態は下記（イ）〜（ニ）の特徴を有する。
（イ）  捨刃ケースの不使用時、使用者は、図２，３に示すように、口壁３を下向きにして載置面Ｐに接触させた状態で把持体１を立てて載せることが多い。このように把持体１を載置したり、この載置状態から把持体１を持ち上げたりする場合、使用者が口部開閉部材１６の操作体１８を離すので、操作体１８が板ばね２６の弾性力により回動して口部開閉部材１６の開閉蓋体１７が移動し、図１に示すように口壁３の刃体挿入口４が開閉蓋体１７の閉塞部２０により強制的に閉じられる。そのため、把持体１の収納室５にある使い捨て刃体（図示せず）は、刃体挿入路８や案内溝７を通って刃体挿入口４にたとえ達したとしても、この閉塞部２０に当接して刃体挿入口４から不用意に落下せず、把持体１内に確実に収納される。
【００２４】
（ロ）  捨刃ケースの使用時、使用者は、図７，８に示すように、操作体１８を押さえるだけで、刃体挿入口４を開閉蓋体１７の開孔１９に対向させて容易に開放させることができる。
【００２５】
（ハ）  開閉蓋体１７により刃体挿入口４を閉じるように操作体１８を付勢する板ばね２６を把持体１に取り付けたので、使用者が操作体１８を意識的に操作して刃体挿入口４を開放しない限り、刃体挿入口４を閉じることができる。従って、使い捨て刃体（図示せず）が刃体挿入口４から不用意に落下せず、把持体１内に確実に収納される。
【００２６】
（ニ）  開閉蓋体１７を開閉動させる操作体１８を把持壁２の外側に取り付けたので、使用者は、一方の手で替刃式メス２７を把持するとともに他方の手で把持壁２を握ったまま、操作体１８を操作して開閉蓋体１７を開閉動させることができ、使用上たいへん便利である。
【００２７】
前記実施形態以外にも下記（イ）〜（ハ）のように構成してもよい。
（イ）  開閉蓋体１７により刃体挿入口４を閉じるように口部開閉部材１６（開閉蓋体１７、操作体１８）を付勢する弾性体としては、前記実施形態の板ばね２６以外に、下記のものを採用する。
【００２８】
1)  この板ばね２６に代えて、圧縮コイルばねを操作体１８と把持壁２との間に取り付ける。
2)  操作体１８を付勢する弾性体に代えて、開閉蓋体１７を付勢する弾性体（板ばね又はコイルばね等）に変更する。
【００２９】
3)  操作体１８又は開閉蓋体１７において、それ自体に弾性を持たせて弾性体を兼用する。
（ロ）  操作体１８を開閉蓋体１７の移動方向へ平行移動可能にする。この場合、操作体１８と開閉蓋体１７との間の連動部を一体化する。
【００３０】
（ハ）  捨刃ケースの刃体離脱形式としては、前記実施形態のもの以外に、例えば実開平４ー５００１１号公報に示す形式のものにも応用できる。
各実施形態から把握できる技術的思想（請求項以外）を効果と共に記載する。
【００３１】
（イ）  請求項１において、操作体１８は把持壁２に対し接近離間するように回動可能に支持されているとともに、開閉蓋体１７は口壁３の外側でこれに沿って移動可能に支持され、この操作体１８と開閉蓋体１７との間には相対移動可能な連動部２１ａ，２５を設けている。従って、操作体１８及び開閉蓋体１７を把持体１の外側にコンパクトに配置することができるとともに、操作体１８の動きを開閉蓋体１７の開閉動として確実に伝達することができる。
【００３２】
【発明の効果】
本発明にかかる替刃式メス用捨刃ケースによれば、不使用時、刃体挿入口（４）を開閉蓋体（１７）により強制的に閉じて使い捨て刃体を把持体（１）内に確実に収納することができるとともに、使用時、刃体挿入口（４）を容易に開放させることができる。
【図面の簡単な説明】
【図１】  本実施形態にかかる替刃式メス用捨刃ケースにおいてその不使用状態を示す斜視図である。
【図２】  （ａ）は図１の捨刃ケースを載置面に載せて立てた状態を示す側面図であり、（ｂ）は同じく背面図である。
【図３】  図２（ａ）の断面図である。
【図４】  図１の捨刃ケースから操作つまみを取り外した状態を示す一部切欠き正面図である。
【図５】  （ａ）は本実施形態にかかる替刃式メスを示す組付け平面図であり、（ｂ）は同じく分解部分斜視図である。
【図６】  図１の捨刃ケースにおいてその使用状態を示す斜視図である。
【図７】  （ａ）は図１の捨刃ケースに替刃式メスを挿入した状態を示す断面図であり、（ｂ）は（ａ）のＸーＸ線断面図である。
【図８】  図７（ａ）の状態から操作つまみを移動させて替刃式メスから刃体を取り外す状態を示す断面図である。
【符号の説明】
１…把持体、２…把持壁、３…口壁、４…刃体挿入口、５…刃体収納室、６…押圧部、８…刃体挿入路、１６…口部開閉部材、１７…開閉蓋体、１８…操作体、２６…弾性体としての板ばね、２７…替刃式メス、２８…刃体、２９…嵌着孔、３０…挿入孔、３１…係止孔、３３…刃体取付部、３４…嵌着突部、３５…係止溝。
【図１】
0003720424.tif 000002
【図２】
0003720424.tif 000003
【図３】
0003720424.tif 000004
【図４】
0003720424.tif 000005
【図５】
0003720424.tif 000006
【図６】
0003720424.tif 000007
【図７】
0003720424.tif 000008
【図８】
0003720424.tif 000009